(57)【要約】【課題】目的とする電子機器本体に対応するリモートコントロール装置であるか否かを、ユーザが容易且つ確実に認識できる電子機器を提供する。【解決手段】リモコン１は、送信手段（制御部４等）により、確認キー５９の操作に基づいて、リモコン１の機種別に異なるように設定された確認信号を送信する。受像機本体２は、受信手段（受信プログラム２１４１等）により確認信号を受信し、判断手段（プログラム２１４２等）により、当該受信した確認信号に基づいて、リモコン１が当該受像機本体２に対応しているか否かを、リモコンコード記憶部２１３を参照することによって判断し、表示制御手段（表示制御プログラム２１４３等）により、リモコン１が対応している場合に、所定の対応情報を表示手段（映像出力部１９）に表示させるとともに、リモコン１が非対応である場合に、所定の非対応情報を表示手段に表示させる。【選択図】図１
2007288334.tif 000002
【特許請求の範囲】
【請求項１】
複数のキーを備え、ユーザによる前記キーの操作に基づいて、操作されたキーに対応するリモートコントロール信号を送信するリモートコントロール装置と、前記リモートコントロール信号を受信し、当該リモートコントロール信号に応じた制御を行う電子機器本体と、を備える電子機器において、
前記リモートコントロール装置は、
リモートコントロール装置の機種別に異なるように設定された確認信号を出力するための確認キーと、
前記確認キーの操作により、前記電子機器本体に前記確認信号を送信する送信手段と、を備え、
前記電子機器本体は、
当該電子機器本体に対応するリモートコントロール装置の確認信号に関する情報を記憶する記憶手段と、
前記送信手段により送信された前記確認信号を受信する受信手段と、
前記受信手段により受信された前記確認信号に基づいて、前記リモートコントロール装置が当該電子機器本体に対応しているか否かを、前記記憶手段を参照することによって判断する判断手段と、
前記判断手段による判断結果に基づいて、前記リモートコントロール装置が当該電子機器本体に対応している場合に、前記リモートコントロール装置が当該電子機器本体に対応している旨を示す所定の対応情報を表示手段に表示させるとともに、前記リモートコントロール装置が当該電子機器本体に非対応である場合に、前記リモートコントロール装置が当該電子機器本体に非対応である旨を示す所定の非対応情報を前記表示手段に表示させる表示制御手段を備えることを特徴とする電子機器。
【請求項２】
複数のキーを備え、ユーザによる前記キーの操作に基づいて、操作されたキーに対応するリモートコントロール信号を送信するリモートコントロール装置と、前記リモートコントロール信号を受信し、当該リモートコントロール信号に応じた制御を行う電子機器本体と、を備える電子機器において、
前記リモートコントロール装置は、
確認信号を出力するための確認キーと、
前記確認キーの操作により、前記電子機器本体に前記確認信号を送信する送信手段と、を備え、
前記電子機器本体は、
前記送信手段により送信された前記確認信号を受信する受信手段と、
前記受信手段により受信された前記確認信号に基づいて、表示手段に、当該電子機器本体に対応するリモートコントロール装置を認識可能なリモコン情報の表示を行う表示制御手段と、
を備えることを特徴とする電子機器。
【請求項３】
前記表示制御手段は、前記電子機器本体に対応するリモートコントロール装置の外観画像を、前記リモコン情報として前記表示手段に表示することを特徴とする請求項２に記載の電子機器。
【請求項４】
複数のキーを備え、ユーザによる前記キーの操作に基づいて、操作されたキーに対応するリモートコントロール信号を送信するリモートコントロール装置と、前記リモートコントロール信号を受信し、当該リモートコントロール信号に応じた制御を行う電子機器本体と、を備える電子機器において、
前記リモートコントロール装置は、
前記複数キーのうちの、一のキーの操作により、当該一のキーに対応するリモートコントロール信号とともに、当該リモートコントロール装置を識別する識別信号を前記電子機器本体に送信する送信手段と、を備え、
前記電子機器本体は、
当該電子機器本体に対応するリモートコントロール装置の識別信号に関する情報を記憶する記憶手段と、
前記送信手段により送信された前記リモートコントロール信号と、前記識別信号と、を受信する受信手段と、
前記受信手段により受信された前記識別信号に基づいて、前記リモートコントロール装置が当該電子機器本体に対応しているか否かを、前記記憶手段を参照することによって判断する判断手段と、
前記判断手段による判断結果に基づいて、前記リモートコントロール装置が当該電子機器本体に非対応である場合に、前記リモートコントロール装置が当該電子機器本体に非対応である旨を示す所定の非対応情報を前記表示手段に表示させる表示制御手段と、
を備えることを特徴とする電子機器。
【発明の詳細な説明】
【技術分野】
【０００１】
本発明は、電子機器本体に対して遠隔操作を行うリモートコントロール装置を備える電子機器に関する。
【背景技術】
【０００２】
従来、テレビジョン受像機を始めとする電子機器はリモートコントロール装置（以下、リモコンと称する。）による遠隔操作が可能である。しかしながら、電子機器が複数存在する場合、特に、同一メーカーの製品が複数存在する場合には、リモコンのデザインが類似しており、複数のリモコンのうち使用したい電子機器に対応するリモコンを判別し難いという問題があった。
【０００３】
そこで、例えば、特許文献１には、リモコン受信ユニットにおいて、片側通信方式によるリモコン送信ユニットと、それに対応して同様に色分けした受信ユニットの受信表示発光体からなり、受信ユニットでの受信の可否を受信表示発光体の色別表示により識別することを可能とした入力識別方式が開示されている。
また、例えば、特許文献２には、リモコン制御コマンドによる指示に基づき装置全体を制御する制御部が、リモコン制御コマンドの入力を検知したとき毎に、フラッシュング制御機能により、テレビジョン受像機などの画面表示部に表示中の画像の輝度レベルを通常レベルよりも高低に変化させ、或いは、蛍光表時間に表示中の情報表示の輝度レベルを通常レベルよりも高低に変化させることで、リモコン制御コマンドの受信の有無を操作者に確実に認識させることが可能な映像信号再生装置が開示されている。
【特許文献１】実開平０５−６６１８９号公報
【特許文献２】特開２００５−３２８１７３号公報
【発明の開示】
【発明が解決しようとする課題】
【０００４】
しかしながら、特許文献１に開示された入力識別方式は、一の電子機器を複数のリモコン送信ユニットで同時送信する場合を想定して提案された技術であり、送信者が受信の可否を自分と同じ色の受信表示発光体の点灯により確認することはできるものの、複数の電子機器が存在する環境において、リモコンが、目的とする電子機器に対応するリモコンであるか否かを判別することはできない。
また、特許文献２によれば、リモコン制御コマンドの受信の有無を送信者が認識できるものの、画面表示部に表示中の画像の輝度レベルを通常レベルよりも高低に変化させ、或いは、蛍光表示管に表示中の情報表示の輝度レベルを通常レベルよりも高低に変化させるだけでは、一部の機能は共通して使用可能なリモコンの場合等には、一部の有効なリモコン制御コマンドの受信の有無を送信者が認識できることによって、却って、当該リモコンが装置に対応していると誤って認識されるおそれがある。
【０００５】
本発明の課題は、目的とする電子機器本体に対応するリモートコントロール装置であるか否かを、ユーザが容易且つ確実に認識できる電子機器を提供することである。
【課題を解決するための手段】
【０００６】
上記課題を解決するため、請求項１に記載の発明は、複数のキーを備え、ユーザによる前記キーの操作に基づいて、操作されたキーに対応するリモートコントロール信号を送信するリモートコントロール装置と、前記リモートコントロール信号を受信し、当該リモートコントロール信号に応じた制御を行う電子機器本体と、を備える電子機器において、
前記リモートコントロール装置は、
リモートコントロール装置の機種別に異なるように設定された確認信号を出力するための確認キーと、
前記確認キーの操作により、前記電子機器本体に前記確認信号を送信する送信手段と、を備え、
前記電子機器本体は、
当該電子機器本体に対応するリモートコントロール装置の確認信号に関する情報を記憶する記憶手段と、
前記送信手段により送信された前記確認信号を受信する受信手段と、
前記受信手段により受信された前記確認信号に基づいて、前記リモートコントロール装置が当該電子機器本体に対応しているか否かを、前記記憶手段を参照することによって判断する判断手段と、
前記判断手段による判断結果に基づいて、前記リモートコントロール装置が当該電子機器本体に対応している場合に、前記リモートコントロール装置が当該電子機器本体に対応している旨を示す所定の対応情報を表示手段に表示させるとともに、前記リモートコントロール装置が当該電子機器本体に非対応である場合に、前記リモートコントロール装置が当該電子機器本体に非対応である旨を示す所定の非対応情報を前記表示手段に表示させる第１表示制御手段を備えることを特徴とする。
【０００７】
請求項２に記載の発明は、複数のキーを備え、ユーザによる前記キーの操作に基づいて、操作されたキーに対応するリモートコントロール信号を送信するリモートコントロール装置と、前記リモートコントロール信号を受信し、当該リモートコントロール信号に応じた制御を行う電子機器本体と、を備える電子機器において、
前記リモートコントロール装置は、
確認信号を出力するための確認キーと、
前記確認キーの操作により、前記電子機器本体に前記確認信号を送信する送信手段と、を備え、
前記電子機器本体は、
前記送信手段により送信された前記確認信号を受信する受信手段と、
前記受信手段により受信された前記確認信号に基づいて、表示手段に、当該電子機器本体に対応するリモートコントロール装置を認識可能なリモコン情報の表示を行う表示制御手段と、
を備えることを特徴とする。
【０００８】
請求項３に記載の発明は、請求項２に記載の電子機器において、前記表示制御手段は、前記電子機器本体に対応するリモートコントロール装置の外観画像を、前記リモコン情報として前記表示手段に表示することを特徴とする。
【０００９】
請求項４に記載の発明は、複数のキーを備え、ユーザによる前記キーの操作に基づいて、操作されたキーに対応するリモートコントロール信号を送信するリモートコントロール装置と、前記リモートコントロール信号を受信し、当該リモートコントロール信号に応じた制御を行う電子機器本体と、を備える電子機器において、
前記リモートコントロール装置は、
前記複数キーのうちの、一のキーの操作により、当該一のキーに対応するリモートコントロール信号とともに、当該リモートコントロール装置を識別する識別信号を前記電子機器本体に送信する送信手段と、を備え、
前記電子機器本体は、
当該電子機器本体に対応するリモートコントロール装置の識別信号に関する情報を記憶する記憶手段と、
前記送信手段により送信された前記リモートコントロール信号と、前記識別信号と、を受信する受信手段と、
前記受信手段により受信された前記識別信号に基づいて、前記リモートコントロール装置が当該電子機器本体に対応しているか否かを、前記記憶手段を参照することによって判断する判断手段と、
前記判断手段による判断結果に基づいて、前記リモートコントロール装置が当該電子機器本体に非対応である場合に、前記リモートコントロール装置が当該電子機器本体に非対応である旨を示す所定の非対応情報を前記表示手段に表示させる表示制御手段と、
を備えることを特徴とする。
【発明の効果】
【００１０】
請求項１に記載の発明によれば、リモートコントロール装置は、送信手段により、確認キーの操作に基づいて、リモートコントロール装置の機種別に異なるように設定された確認信号を送信する。また、電子機器本体は、記憶手段により、当該電子機器本体に対応するリモートコントロール装置の確認信号に関する情報を記憶し、受信手段は、リモートコントロール装置における送信手段により送信された確認信号を受信する。また、判断手段は、当該受信した確認信号に基づいて、リモートコントロール装置が当該電子機器本体に対応しているか否かを、記憶手段を参照することによって判断し、表示制御手段は、判断手段による判断結果に基づいて、リモートコントロール装置が当該電子機器本体に対応している場合に、リモートコントロール装置が当該電子機器本体に対応している旨を示す所定の対応情報を表示手段に表示させるとともに、リモートコントロール装置が当該電子機器本体に非対応である場合に、リモートコントロール装置が当該電子機器本体に非対応である旨を示す所定の非対応情報を表示手段に表示させる。従って、確認キーの操作のみで、電子機器本体に対応するリモートコントロール装置であるか否かが表示手段に表示されることとなって、目的とする電子機器本体に対応するリモートコントロール装置であるか否かを、ユーザが容易且つ確実に認識可能な電子機器を提供することができる。
【００１１】
請求項２に記載の発明によれば、リモートコントロール装置は、確認信号を出力するための確認キーを備え、送信手段は、確認キーの操作により、電子機器本体に確認信号を送信する。また、電子機器本体は、受信手段により、送信手段により送信された確認信号を受信し、表示制御手段は、受信手段により受信された確認信号に基づいて、表示手段に、当該電子機器本体に対応するリモートコントロール装置を認識可能なリモコン情報の表示を行う。従って、確認キーの操作のみで、電子機器本体に対応するリモートコントロール装置を認識可能なリモコン情報が表示手段に表示されることとなって、目的とする電子機器本体に対応するリモートコントロール装置であるか否かを、ユーザが容易且つ確実に認識可能な電子機器を提供することができる。
【００１２】
請求項３に記載の発明によれば、請求項２に記載の発明の効果が得られるのは無論のこと、表示制御手段は、電子機器本体に対応するリモートコントロール装置の外観画像を、リモコン情報として表示手段に表示するので、ユーザは、より容易且つ確実に、電子機器本体に対応するリモートコントロール装置を認識することができる。
【００１３】
請求項４に記載の発明によれば、リモートコントロール装置は、送信手段により、複数キーのうちの、一のキーの操作により、当該一のキーに対応するリモートコントロール信号とともに、当該リモートコントロール装置を識別する識別信号を電子機器本体に送信する。また、電子機器本体は、記憶手段により、当該電子機器本体に対応するリモートコントロール装置の識別信号に関する情報を記憶し、受信手段は、リモートコントロール装置における送信手段により送信されたリモートコントロール信号と、識別信号と、を受信する。また、判断手段は、受信手段により受信された識別信号に基づいて、リモートコントロール装置が当該電子機器本体に対応しているか否かを、記憶手段を参照することによって判断し、表示制御手段は、判断手段による判断結果に基づいて、リモートコントロール装置が当該電子機器に非対応である場合に、リモートコントロール装置が当該電子機器に非対応である旨を示す所定の非対応情報を前記表示手段に表示させる。従って、キーの操作がなされた際に、リモートコントロール装置が非対応である場合には、その旨が表示手段に表示されることとなって、目的とする電子機器本体に対応するリモートコントロール装置であるか否かを、ユーザが容易且つ確実に認識可能な電子機器を提供することができる。
【発明を実施するための最良の形態】
【００１４】
（実施形態１）
以下、図１〜図５を参照しながら、本発明を適用した実施形態１について詳細に説明する。
【００１５】
本実施形態１では、操作されたキーに対応するリモートコントロール信号を送信するリモートコントロール装置と、リモートコントロール信号を受信し、当該リモートコントロール信号に応じた制御を行う電子機器本体と、を備える電子機器として、テレビジョン受像機を例に挙げて説明する。
なお、電子機器はこれに限られることなく、例えば、ＤＶＤ（Digital Versatile Disc）プレーヤや、ＶＣＲ（Video Cassette Recorder）等であっても良い。
【００１６】
まず、本実施形態１におけるテレビジョン受像機１００全体の構成を、図１を参照しながら説明する。
本実施形態１のテレビジョン受像機１００は、例えば、ユーザが遠隔操作によって各種指示を入力するためのリモートコントロール装置（以下、リモコンという。）１と、リモコン１による遠隔操作の対象であり、テレビジョン放送局等から受信する放送信号に基づく映像・音声を出力する電子機器本体としての受像機本体２と、を備えて構成されている。
【００１７】
リモコン１は、送信手段としての制御部４、キーパッド５、データコード記憶部６、発振部７、赤外線ＬＥＤ（Light Emitting Diode）８等を備えて構成されており、受像機本体２に対して、操作されたキーに応じたリモートコントロール信号（以下、リモコン信号という。）を出力する。
【００１８】
キーパッド５は、例えば、図２に示すように、受像機本体２の電源をオン／オフするための電源キー５１と、音量を調節するためのボリュームキー５２と、チャンネルを変更するためのチャンネルキー５３と、音声モードを切替選択するための音声モード切替キー５４と、それぞれに「０」〜「９」の数字が割り当てられ、チャンネル番号等を入力するためのテンキー５５と、入力を確定するための確定キー５６と、入力を消去するためのクリアキー５７と、各種メニュー画面を表示画面１９１に表示させるためのメニューキー５８と、リモコン１の機種別に異なるように設定された確認信号ｓｇｎ１を送信することにより、リモコン１が、確認信号ｓｇｎ１を受信した受像機本体２に対応しているか否かを確認するための確認キー５９と、等を備えており、各々のキーに一のデータコードが割り当てられている。
【００１９】
データコード記憶部６は、キーパッド５に備わる各キーと、このリモコン１が対応する受像機本体２において実行される各動作内容に割り当てられたデータコードと、の対応関係を記憶しており、キーパッド５におけるキー操作がなされると、制御部４により、操作されたキーに対応するデータコードがデータコード記憶部６から読み出され、発振部７及び赤外線ＬＥＤ８等が動作して、当該読み出されたデータコードに基づくリモコン信号が生成されて、送信されることとなる。
当該データコード記憶部６には、特に、確認キー５９に、データコードとして、リモコン１の機種別にそれぞれ異なるように設定された、このリモコン１固有の確認コード６１を割り当てて記憶している。確認キー５９を押下すると、制御部４により、データコード記憶部６に格納された当該確認コード６１が読み出され、読み出された確認コード６１に基づいて、リモコン１の機種別にそれぞれ異なる確認信号ｓｇｎ１が生成されて、出力されることとなる。
【００２０】
図３は、キーパッド５におけるキー操作により出力されるリモコン信号のデータ構造の例示である。
図３（ａ）に示すように、リモコン信号は、リモコン信号の先頭であることを示すリーダと、メーカーごとに決められ、リモコン信号を受信した受像機本体２が自分に対する命令か否かを識別するためのカスタムコードと、キーパッド５のキーに対応して、受像機本体２が動作内容を識別するためのデータコードと、カスタムコード及びデータコードのそれぞれに付加されて、誤り検出を行うための反転コードと、リモコン信号の末尾であることを示すトレーラと、等から構成されている。
また、リモコン信号のうち、特に、確認キー５９の操作により送信される確認信号ｓｇｎ１は、リモコン１の機種別に異なっており、図３（ｂ）に示すように、リーダと、カスタムコードと、リモコン１固有の確認コード６１と、カスタムコード及び確認コード６１のそれぞれに付加されて、誤り検出を行うための反転コードと、トレーラと、等から構成されている。
【００２１】
受像機本体２は、リモコン１から送信されたリモコン信号を受信するリモコン信号受光部９と、放送信号を受信するアンテナ１０と、アンテナ１０により受信された放送信号から所定のチャンネルの放送信号を選局するチューナ１１と、チューナ１１により選局された放送信号を復調する復調部１２と、復調部１２により復調された放送信号を分離するＴＳデコーダ１３と、ＴＳデコーダ１３により分離された放送信号を復号するビデオデコーダ１４及びオーディオデコーダ１５と、ビデオデコーダ１４により復号された映像信号に対して所定の処理を行う映像処理部１６と、オーディオデコーダ１５により復号された音声信号に対して所定の処理を行う音声処理部１７と、映像処理部１６により処理された映像信号にＯＳＤデータを付加するＯＳＤ回路１８と、映像処理部１６により処理された映像信号を出力する表示手段としての映像出力部１９と、音声処理部１７により処理された音声信号を出力する音声出力部２０と、受像機本体２全体を統括制御する制御部２１と、を備えている。
【００２２】
リモコン信号受光部９は、例えば、図示は省略するが、フォトダイオードと、ＳＵＢＣＰＵと、増幅部と、復調部と、デコーダと、等を備えて構成されており、リモコン１から送信されたリモコン信号を、前面パネルに設けられたフォトダイオードにおいて受信すると、ＳＵＢＣＰＵの制御により、増幅部により増幅した後に復調部において復調し、さらに、デコーダにより波形整形、誤り訂正等の各種処理を行って、制御部２１に対して出力する。
【００２３】
アンテナ１０は、屋外において所定の方向に向けて配置されており、図示しないテレビジョン放送局等から発信される高周波（RF）のテレビジョン放送信号（RF信号）を受信する。
チューナ１１は、例えば、図示は省略するが、高周波増幅回路と、局部発振回路及び混合回路から成る周波数変換回路と、を備えて構成されており、アンテナ１０等により入力されたテレビジョン放送信号を、高周波増幅回路において増幅し、混合回路において局部発振回路から出力される局部発振信号と混合する。さらに、特定の周波数を選局するための制御部２１からの制御出力に応じて、特定周波数帯の中間周波信号（IF信号）を受信し、当該中間周波信号に所定の処理を行って復調部１２に出力する。
【００２４】
復調部１２は、例えば、制御部２１からの指示に従って、チューナ１１から出力された中間周波信号に対してデジタル復調や誤り訂正などの処理を実行し、トランスポートストリーム（TS）を生成して、ＴＳデコーダ１３に出力する。
ＴＳデコーダ１３は、復調部１２から入力されたトランスポートストリームを、ＭＰＥＧ２（Moving Picture Experts Group 2）規格下のビデオストリーム、オーディオストリーム及びＰＳＩ／ＳＩ（Program Specific Information/Service Information）等に分離するとともに、当該ビデオストリームをビデオデコーダ１４に、オーディオストリームをオーディオデコーダ１５に出力し、さらに、ＰＳＩ／ＳＩに含まれるデータを制御部２１に供給する。
ビデオデコーダ１４は、ＴＳデコーダ１３から入力されたビデオストリームを復号し、逆ＤＣＴ変換や動き補償制御等を行い、映像データを生成して映像処理部１６に出力する。また、オーディオデコーダ１５は、ＴＳデコーダ１３から入力されたオーディオストリームを復号し、音声データを生成して音声処理部１７に出力する。
【００２５】
映像処理部１６は、ビデオデコーダ１４から入力された映像データに対して、Ｄ／Ａ変換等の各種処理を施し、映像信号を生成する。また、音声処理部１７は、オーディオデコーダ１５から入力された音声データに対して、Ｄ／Ａ変換等の各種処理を施し、音声信号を生成する。生成された映像信号は映像出力部１９に出力され、音声信号は音声出力部２０に出力される。
【００２６】
ＯＳＤ回路１８は、制御部２１からの指示出力に応じて、ＲＯＭ２１４に格納された図示しないＯＳＤデータを映像処理部１６から出力された映像信号に合成する処理を行う。
【００２７】
映像出力部１９は、例えば、ＬＣＤ（Liquid Crystal Display）、ＰＤＰ（Plasma Display Panel）等の表示画面１９１を備え、映像処理部１６から入力された映像信号に基づく映像を当該表示画面１９１に表示させる。
音声出力部２０は、例えば、スピーカ２０１等を備え、音声処理部１７から入力された音声信号に基づく音声を当該スピーカ２０１により出力させる。
【００２８】
制御部２１は、ＣＰＵ（Central Processing Unit）２１１、ＲＡＭ（Random Access Memory）２１２、記憶手段としてのリモコンコード記憶部２１３、ＲＯＭ（Read Only Memory）２１４等を備えて構成されている。
【００２９】
ＣＰＵ２１１は、受像機本体２及びリモコン１の各部から入力された入力信号に応じて、ＲＯＭ２１４に格納された各種プログラムを実行するとともに、実行にかかるプログラムに基づく出力信号を各部に出力することにより、テレビジョン受像機１００の動作全般を統括制御する。
【００３０】
ＲＡＭ２１２は、ＣＰＵ２１１によって各種プログラムが実行される際に生じる処理結果や、入力されたデータ等を一時的に記憶する。
【００３１】
リモコンコード記憶部２１３は、例えば、ＥＰＲＯＭ（Erasable Programmable ROM）等の不揮発性メモリから構成され、当該受像機本体２のメーカーのリモコン１から送信されるリモコン信号に含まれるカスタムコードと、リモコン信号に含まれる各データコード及び当該データコードのそれぞれに割り当てられた動作内容との対応関係と、等を記憶している。
リモコンコード記憶部２１３は、特に、データコードとして、当該受像機本体２に対応したリモコン１から出力される確認信号ｓｇｎ１に含まれる確認コード２１３１を記憶しており、当該確認コード２１３１には、確認信号をｓｇｎ１を送信したリモコン１が受像機本体２に対応するか否かの判断を行い、判断結果を表示画面１９１に表示する処理が割り当てられている。
【００３２】
ＲＯＭ２１４は、受信プログラム２１４１と、判断プログラム２１４２と、表示制御プログラム２１４３と、等を備えて構成されている。
【００３３】
受信プログラム２１４１は、例えば、ＣＰＵ２１１に、リモコン１から送信された確認信号ｓｇｎ１を受信する機能を実現するためのプログラムである。
具体的には、ＣＰＵ２１１は、リモコン１から送信されたリモコン信号をリモコン信号受光部９において受信すると、所定の処理を行って、受像機本体２の制御部２１に対して出力し、特に、リモコン１から送信された確認信号ｓｇｎ１をリモコン信号受光部９において受信すると、所定の処理を行って、受像機本体２の制御部２１に対して出力する。
ＣＰＵ２１１は、かかる受信プログラム２１４１を実行することにより、受信手段として機能する。
【００３４】
判断プログラム２１４２は、例えば、ＣＰＵ２１１に、受信プログラム２１４１により受信された確認信号ｓｇｎ１に基づいて、リモコン１が受像機本体２に対応しているか否かを、リモコンコード記憶部２１３を参照することによって判断する機能を実現するためのプログラムである。
具体的には、ＣＰＵ２１１は、リモコン１に備わる確認キー５９の操作によりリモコン１から送信された確認信号ｓｇｎ１がリモコン信号受光部９において受信され、所定の処理が行われることにより生成された信号が制御部２１に対して出力されると、当該確認信号ｓｇｎ１に含まれる確認コード６１を読み出し、当該確認コード６１に基づいて、確認信号ｓｇｎ１を送信したリモコン１が受像機本体２に対応しているか否かの判断処理を実行する。当該確認信号ｓｇｎ１を送信したリモコン１が受像機本体２に対応しているか否かの判断処理は、確認信号ｓｇｎ１から読み出された確認コード６１と、リモコンコード記憶部２１３に記憶された確認コード２１３１との比較に基づいて行われる。すなわち、ＣＰＵ２１１は、リモコンコード記憶部２１３に記憶された確認コード２１３１と、確認信号ｓｇｎ１に含まれる確認コード６１を比較して、両者が一致するか否かを判断し、一致する場合には、確認信号ｓｇｎ１を送信したリモコン１が受像機本体２に対応していると判断する。一方、リモコンコード記憶部２１３に記憶された確認コード２１３１と、確認信号ｓｇｎ１に含まれた確認コード６１が一致しない場合には、確認信号ｓｇｎ１を送信したリモコン１が受像機本体２に対応していないと判断する。この判断結果は、ＲＡＭ２１２に出力されて一時的に格納されることとなる。
ＣＰＵ２１１は、かかる判断プログラム２１４２を実行することにより、判断手段として機能する。
【００３５】
表示制御プログラム２１４３は、例えば、ＣＰＵ２１１に、判断プログラム２１４２の実行による判断結果に基づいて、リモコン１が受像機本体２に対応している場合に、リモコン１が当該受像機本体２に対応している旨を示す所定の対応情報を映像出力部１９の表示画面１９１に表示させるとともに、リモコン１が当該テレビジョン受像機１００に非対応である場合に、リモコン１が当該受像機本体２に非対応である旨を示す所定の非対応情報を表示画面１９１に表示させる機能を実現するためのプログラムである。
具体的には、ＣＰＵ２１１は、前述した判断プログラム２１４２の実行により、当該確認信号ｓｇｎ１を送信したリモコン１が当該受像機本体２に対応しているか否かの判断が行われて、判断結果がＲＡＭ２１２に格納されると、当該ＲＡＭ２１２に格納された判断結果を参照して、リモコン１が受像機本体２に対応している場合には、図４（ａ）に示すように、表示画面１９１に「使用中のリモコンは、この機器に対応しています。」等の対応情報の表示を行う。一方、ＲＡＭ２１２に格納された判断結果が、リモコン１が受像機本体２に非対応である場合には、「使用中のリモコンは、この機器に対応していません。」等の非対応情報の表示を表示画面１９１に行う。これらの表示は、例えば、ＲＯＭ２１４に格納された図示しないＯＳＤデータを、ＯＳＤ回路１８等により映像信号に付加することにより行われる。
ＣＰＵ２１１は、かかる表示制御プログラム２１４３を実行することにより、表示制御手段として機能する。
【００３６】
次に、図５を参照しながら、受像機本体２のＣＰＵ２１１により行われる対応／非対応判断処理について説明する。
なお、この処理は、リモコン１が確認信号ｓｇｎ１を送信し、受像機本体２のＣＰＵ２１１が受信プログラム２１４１を実行することにより当該確認信号ｓｇｎ１を受信して、さらに、当該受信した確認信号ｓｇｎ１に基づいて、ＣＰＵ２１１が判断プログラム２１４２、表示制御プログラム２１４３を実行することにより行われる。
【００３７】
ステップＳ１において、リモコン１の制御部４は、キーパッド５に備わる確認キー５９の押下操作がなされたか否かを判断する。制御部４は、ステップＳ１において、確認キー５９の押下操作が有ると判断すると（ステップＳ１；Ｙｅｓ）、確認コード６１を含んで成る確認信号ｓｇｎ１を生成して、赤外線ＬＥＤ８等により送信する（ステップＳ２）。
【００３８】
ステップＳ３において、受像機本体２のＣＰＵ２１１は、リモコン１から送信された確認信号ｓｇｎ１をリモコン信号受光部９等により受信すると、当該確認信号ｓｇｎ１に含まれる確認コード６１を読み出して、確認信号ｓｇｎ１から読み出した当該確認コード６１と、リモコンコード記憶部２１３に格納されている確認コード２１３１の比較を行う（ステップＳ４）。
ＣＰＵ２１１は、ステップＳ５において、確認信号ｓｇｎ１に含まれる確認コード６１と、リモコンコード記憶部２１３に格納された確認コード２１３１が一致するか否かを判断する。ＣＰＵ２１１は、ステップＳ５において、確認信号ｓｇｎ１に含まれる確認コード６１と、リモコンコード記憶部２１３に格納された確認コード２１３１が一致すると判断すると（ステップＳ５；Ｙｅｓ）、ステップＳ６において、リモコン１が受像機本体２に対応している旨を示す判断結果を一時的にＲＡＭ２１２に格納する。さらに、ＣＰＵ２１１は、ＲＡＭ２１２に格納された判断結果に基づいて、表示画面１９１において、リモコン１が受像機本体２に対応している旨の対応情報を表示させる（ステップＳ７）。
一方、ＣＰＵ２１１は、ステップＳ５において、確認信号ｓｇｎ１に含まれる確認コード６１と、リモコンコード記憶部２１３に格納された確認コード２１３１が一致しないと判断すると（ステップＳ５；Ｎｏ）、ステップＳ８において、リモコン１が受像機本体２に非対応である旨を示す判断結果を一時的にＲＡＭ２１２に格納する。さらに、ＣＰＵ２１１は、ＲＡＭ２１２に格納された判断結果に基づいて、表示画面１９１において、リモコン１が受像機本体２に対応していない旨の非対応情報を表示させ（ステップＳ９）、本処理を終了する。
【００３９】
以上説明した本実施形態１におけるテレビジョン受像機１００によれば、リモコン１において、確認キー５９の操作に基づいて、リモコン１の機種別に異なるように設定された確認信号ｓｇｎ１が出力される。また、受像機本体２において、リモコンコード記憶部２１３に、当該受像機本体２に対応するリモコン１の確認信号ｓｇｎ１に関する情報が記憶され、ＣＰＵ２１１による受信プログラム２１４１の実行により、リモコン１から送信された確認信号ｓｇｎ１が受信される。また、ＣＰＵ２１１による判断プログラム２１４２の実行により、当該受信した確認信号ｓｇｎ１に基づいて、リモコン１が当該受像機本体２に対応しているか否かが、リモコンコード記憶部２１３を参照することによって判断され、表示制御プログラム２１４３の実行により、判断プログラム２１４２の実行による判断結果に基づいて、リモコン１が当該受像機本体２に対応している場合に、リモコン１が当該受像機本体２に対応している旨を示す対応情報が表示画面１９１に表示されるとともに、リモコン１が当該受像機本体２に非対応である場合に、リモコン１が当該受像機本体２に非対応である旨を示す非対応情報が表示画面１９１に表示される。
従って、確認キー５９の操作のみで、受像機本体２に対応するリモコン１であるか否かが表示画面１９１に表示されることとなって、目的とする受像機本体２に対応するリモコン１であるか否かを、ユーザが容易且つ確実に認識可能なテレビジョン受像機１００を提供することができる。
【００４０】
（実施形態２）
次に、図６〜図１０を参照しながら、本発明を適用した実施形態２について説明する。
なお、以下の説明において、実施形態１と同一部分の説明は省略し、異なる部分のみを説明するものとする。
【００４１】
まず、本実施形態２におけるテレビジョン受像機１００ａ全体の構成を、図６を参照しながら説明する。本実施形態２におけるテレビジョン受像機１００ａは、例えば、ユーザが遠隔操作によって各種指示を入力するためのリモートコントロール装置（以下、リモコンという。）１ａと、リモコン１ａによる遠隔操作の対象であり、テレビジョン放送局等から受信する放送信号に基づく映像・音声を出力する電子機器本体としての受像機本体２ａと、を備えて構成されている。
【００４２】
リモコン１ａは、送信手段としての制御部４ａ、キーパッド５ａ、データコード記憶部６ａ、発振部７、赤外線ＬＥＤ（Light Emitting Diode）８等を備えて構成されており、受像機本体２ａに対して、操作されたキーに応じたリモートコントロール信号（以下、リモコン信号という。）を出力する。
【００４３】
キーパッド５ａは、例えば、図７に示すように、受像機本体２ａの電源をオン／オフするための電源キー５１と、音量を調節するためのボリュームキー５２と、チャンネルを変更するためのチャンネルキー５３と、音声モードを切替選択するための音声モード切替キー５４と、それぞれに「０」〜「９」の数字が割り当てられ、チャンネル番号等を入力するためのテンキー５５と、入力を確定するための確定キー５６と、入力を消去するためのクリアキー５７と、各種メニュー画面を表示画面１９１に表示させるためのメニューキー５８と、確認信号ｓｇｎ２を送信することにより、受像機本体２ａに対応するリモコン１ａの外観画像を表示画面１９１に表示させるための確認キー５９ａと、等を備えており、各々のキーに一のデータコードが割り当てられている。
【００４４】
データコード記憶部６ａは、キーパッド５ａに備わる各キーと、このリモコン１ａが対応する受像機本体２ａにおいて実行される各動作内容に割り当てられたデータコードと、の対応関係を記憶しており、キーパッド５ａにおけるキー操作がなされると、制御部４ａにより、操作されたキーに対応するデータコードがデータコード記憶部６ａから読み出され、発振部７、赤外線ＬＥＤ８等が動作して、当該読み出されたデータコードに基づくリモコン信号が生成されて、送信されることとなる。
当該データコード記憶部６ａには、特に、確認キー５９ａに、データコードとして、受像機本体２ａに対応するリモコン１ａの外観画像（リモコン情報）を表示画面１９１に表示させる旨を指示する確認コード６２を対応させて記憶しており、確認キー５９ａを押下すると、制御部４ａにより、データコード記憶部６ａに格納された当該確認コード６２が読み出され、読み出された確認コード６２に基づいて、受像機本体２ａに対応するリモコン１ａの外観画像を表示画面１９１に表示させる旨を指示する確認信号ｓｇｎ２が生成されて、送信されることとなる。当該確認コード６２は、複数のリモコンに共通する信号となるように設定されている。
【００４５】
図８は、キーパッド５ａにおけるキー操作により出力されるリモコン信号のデータ構造の例示である。
図８（ａ）に示すように、リモコン信号は、リモコン信号の先頭であることを示すリーダと、メーカーごとに決められ、リモコン信号を受信した受像機本体２ａが自分に対する命令か否かを識別するためのカスタムコードと、キーパッド５ａのキーに対応して、受像機本体２ａが動作内容を識別するためのデータコードと、カスタムコード及びデータコードのそれぞれに付加されて、誤り検出を行うための反転コードと、リモコン信号の末尾であることを示すトレーラと、等から構成されている。
また、リモコン信号のうち、特に、確認キー５９ａの操作により送信される確認信号ｓｇｎ２は、図８（ｂ）に示すように、リーダと、カスタムコードと、受像機本体２ａに対応するリモコン１ａの外観画像を表示画面１９１に表示させる処理の実行を指示するための確認コード６２と、カスタムコード及び確認コード６２のそれぞれに付加されて、誤り検出を行うための反転コードと、トレーラと、等から構成されている。
【００４６】
受像機本体２ａは、リモコン１ａから送信されたリモコン信号を受信するリモコン信号受光部９と、放送信号を受信するアンテナ１０と、アンテナ１０により受信された放送信号から所定のチャンネルの放送信号を選局するチューナ１１と、チューナ１１により選局された放送信号を復調する復調部１２と、復調部１２により復調された放送信号を分離するＴＳデコーダ１３と、ＴＳデコーダ１３により分離された放送信号を復号するビデオデコーダ１４及びオーディオデコーダ１５と、ビデオデコーダ１４により復号された映像信号に対して所定の処理を行う映像処理部１６と、オーディオデコーダ１５により復号された音声信号に対して所定の処理を行う音声処理部１７と、映像処理部１６により処理された映像信号にＯＳＤデータを付加するＯＳＤ回路１８と、映像処理部１６により処理された映像信号を出力する表示手段としての映像出力部１９と、音声処理部１７により処理された音声信号を出力する音声出力部２０と、受像機本体２ａ全体を統括制御する制御部２１ａと、を備えている。
【００４７】
制御部２１ａは、ＣＰＵ（Central Processing Unit）２１１ａ、ＲＡＭ（Random Access Memory）２１２ａ、記憶手段としてのリモコンコード記憶部２１３ａ、リモコン情報記憶部２１５、ＲＯＭ（Read Only Memory）２１４ａ等を備えて構成されている。
【００４８】
ＣＰＵ２１１ａは、受像機本体２ａ及びリモコン１ａの各部から入力された入力信号に応じて、ＲＯＭ２１４ａに格納された各種プログラムを実行するとともに、実行にかかるプログラムに基づく出力信号を各部に出力することにより、テレビジョン受像機１００ａの動作全般を統括制御する。
【００４９】
ＲＡＭ２１２ａは、ＣＰＵ２１１ａによって各種プログラムが実行される際に生じる処理結果や、入力されたデータ等を一時的に記憶する。
【００５０】
リモコンコード記憶部２１３ａは、例えば、ＥＰＲＯＭ（Erasable Programmable ROM）等の不揮発性メモリから構成され、当該受像機本体２ａのメーカーのリモコン１ａから出力されるリモコン信号に含まれるカスタムコードと、各データコード及び当該データコードのそれぞれに割り当てられた動作内容の対応関係と、等を記憶している。
リモコンコード記憶部２１３ａは、特に、データコードとして、複数のリモコンから共通して出力される確認信号ｓｇｎ２に含まれる確認コード２１３２を記憶しており、当該確認コード２１３２には、受像機本体２ａに対応するリモコン１ａの外観画像を表示画面１９１に表示する処理を割り当てている。
【００５１】
リモコン情報記憶部２１５は、例えば、ＥＰＲＯＭ（Erasable Programmable ROM）等の不揮発性メモリから構成され、受像機本体２ａに対応するリモコン１ａの外観画像を記憶している。当該外観画像は、後述する表示制御プログラム２１４５の実行において読み出されて、リモコン情報として、表示画面１９１に表示されることとなる。
【００５２】
ＲＯＭ２１４ａは、受信プログラム２１４４と、表示制御プログラム２１４５と、等を備えて構成されている。
【００５３】
受信プログラム２１４４は、例えば、ＣＰＵ２１１ａに、リモコン１ａから送信された確認信号ｓｇｎ２を受信する機能を実現するためのプログラムである。
具体的には、ＣＰＵ２１１ａは、リモコン１ａから送信されたリモコン信号をリモコン信号受光部９において受信すると、所定の処理を行って、受像機本体２ａの制御部２１ａに対して出力し、特に、リモコン１ａから送信された確認信号ｓｇｎ２をリモコン信号受光部９において受信すると、所定の処理を行って、受像機本体２ａの制御部２１ａに対して出力する。
ＣＰＵ２１１ａは、かかる受信プログラム２１４４を実行することにより、受信手段として機能する。
【００５４】
表示制御プログラム２１４５は、例えば、ＣＰＵ２１１ａに、受信プログラム２１４４の実行に基づいて、リモコン１ａから送信された確認信号ｓｇｎ２に基づいて、表示画面１９１に、当該受像機本体２ａに対応するリモコン１ａの外観画像を、リモコン情報として表示させる機能を実現させるためのプログラムである。
具体的には、ＣＰＵ２１１ａは、確認キー５９ａの操作により送信された確認信号ｓｇｎ２がリモコン信号受光部９において受信され、所定の処理が行われることにより生成された信号が制御部２１ａに対して出力されると、当該確認信号ｓｇｎ２に含まれる確認コード６２を読み出し、リモコンコード記憶部２１３ａを参照して、確認コード６２に割り当てられた動作内容（すなわち、受像機本体２ａに対応するリモコン１ａの外観画像を表示画面１９１に表示する処理）を実行する。ＣＰＵ２１１ａは、受像機本体２ａに対応するリモコン１ａの外観画像をリモコン情報記憶部２１５から読み出して、当該データに所定の処理を施し、図９に示すように、受像機本体２ａに対応するリモコン１ａの外観画像を表示画面１９１に表示させる。
ＣＰＵ２１１ａは、かかる表示制御プログラム２１４５を実行することにより、表示制御手段として機能する。
【００５５】
次に、図１０を参照しながら、受像機本体２ａのＣＰＵ２１１ａにより行われるリモコン情報表示処理について説明する。
なお、この処理は、リモコン１ａが確認信号ｓｇｎ２を送信し、受像機本体２ａのＣＰＵ２１１ａが受信プログラム２１４４を実行することにより当該確認信号ｓｇｎ２を受信し、さらに、この確認信号ｓｇｎ２に基づいて、ＣＰＵ２１１ａが表示制御プログラム２１４５を実行することにより行われる。
【００５６】
ステップＳ１１において、リモコン１ａの制御部４ａは、キーパッド５ａに備わる確認キー５９ａの押下操作がなされたか否かを判断する。制御部４ａは、ステップＳ１１において、確認キー５９ａの押下操作が有ると判断すると（ステップＳ１１；Ｙｅｓ）、確認コード６２を含んで成る確認信号ｓｇｎ２を生成して、赤外線ＬＥＤ８等により送信する（ステップＳ１２）。
【００５７】
ステップＳ１３において、受像機本体２ａのＣＰＵ２１１ａは、リモコン１ａから送信された確認信号ｓｇｎ２をリモコン信号受光部９等により受信すると、当該確認信号ｓｇｎ２に含まれる確認コード６２を読み出して（ステップＳ１４）、読み出した確認コード６２に基づいて、受像機本体２ａに対応したリモコン１ａの外観画像をリモコン情報記憶部２１５から読み出して、表示画面１９１に表示させ（ステップＳ１５）、本処理を終了する。
【００５８】
以上説明した本実施形態２におけるテレビジョン受像機１００ａによれば、リモコン１ａにおいて、確認信号ｓｇｎ２を出力するための確認キー５９ａが備わり、制御部４ａにより、確認キー５９ａの操作に基づいて、受像機本体２ａに確認信号ｓｇｎ２が送信される。また、受像機本体２ａにおいて、受信プログラム２１４４の実行により、リモコン１ａから送信された確認信号ｓｇｎ２が受信され、表示制御プログラム２１４５の実行により、受信プログラム２１４４の実行により受信された確認信号ｓｇｎ２に基づいて、表示画面１９１に、当該受像機本体２ａに対応するリモコン１ａの外観画像がリモコン情報として表示される。従って、確認キー５９ａの操作のみで、受像機本体２ａに対応するリモコン１ａを認識可能なリモコン１ａの外観画像が表示画面１９１に表示されることとなって、目的とする受像機本体２ａに対応するリモコン１ａであるか否かを、ユーザが容易且つ確実に認識可能なテレビジョン受像機１００ａを提供することができる。
【００５９】
（実施形態３）
次に、図１１〜図１５を参照しながら、本発明を適用した実施形態３について説明する。
なお、以下の説明において、実施形態１、実施形態２と同一部分の説明は省略し、異なる部分のみを説明するものとする。
【００６０】
まず、本実施形態３におけるテレビジョン受像機１００ｂ全体の構成を、図１１を参照しながら説明する。本実施形態３におけるテレビジョン受像機１００ｂは、例えば、ユーザが遠隔操作によって各種指示を入力するためのリモートコントロール装置（以下、リモコンという。）１ｂと、リモコン１ｂによる遠隔操作の対象であり、テレビジョン放送局等から受信する放送信号に基づく映像・音声を出力する電子機器本体としての受像機本体２ｂと、を備えて構成されている。
【００６１】
リモコン１ｂは、送信手段としての制御部４ｂ、キーパッド５ｂ、データコード記憶部６ｂ、発振部７、赤外線ＬＥＤ（Light Emitting Diode）８等を備えて構成されており、受像機本体２ｂに対して、操作されたキーに応じたリモートコントロール信号（以下、リモコン信号という。）を出力する。
【００６２】
キーパッド５ｂは、例えば、図１２に示すように、受像機本体２ｂの電源をオン／オフするための電源キー５１と、音量を調節するためのボリュームキー５２と、チャンネルを変更するためのチャンネルキー５３と、音声モードを切替選択するための音声モード切替キー５４と、それぞれに「０」〜「９」の数字が割り当てられ、チャンネル番号等を入力するためのテンキー５５と、入力を確定するための確定キー５６と、入力を消去するためのクリアキー５７と、各種メニュー画面を表示画面１９１に表示させるためのメニューキー５８と、等を備えており、各々のキーに一のデータコードが割り当てられている。
【００６３】
データコード記憶部６ｂは、キーパッド５ｂに備わる各キーと、このリモコン１ｂが対応する受像機本体２ｂにおいて実行される各動作内容に割り当てられたデータコードと、の対応関係を記憶しており、さらに、当該リモコン１ｂを識別するための確認コード（識別信号）６３を記憶している。キーパッド５ｂにおけるキー操作がなされると、制御部４ｂにより、操作されたキーに対応するデータコードと、確認コード６３とがデータコード記憶部６ｂから読み出され、発振部７、赤外線ＬＥＤ８等が動作して、当該読み出されたデータコード及び確認コード６３を含んで成るリモコン信号が生成されて、送信されることとなる。
【００６４】
図１３は、キーパッド５ｂにおけるキー操作により出力されるリモコン信号のデータ構造の例示である。
図１３に示すように、リモコン信号は、リモコン信号の先頭であることを示すリーダと、メーカーごとに決められ、リモコン信号を受信した受像機本体２ｂが自分に対する命令か否かを識別するためのカスタムコードと、当該リモコン１ｂに固有の確認コード６３と、キーパッド５ｂのキーに対応して、受像機本体２ｂが動作内容を識別するためのデータコードと、カスタムコード、確認コード６３及びデータコードのそれぞれに付加されて、誤り検出を行うための反転コードと、リモコン信号の末尾であることを示すトレーラと、等から構成されている。
【００６５】
受像機本体２ｂは、リモコン１ｂから送信されたリモコン信号及び識別信号を受信するリモコン信号受光部９と、放送信号を受信するアンテナ１０と、アンテナ１０により受信された放送信号から所定のチャンネルの放送信号を選局するチューナ１１と、チューナ１１により選局された放送信号を復調する復調部１２と、復調部１２により復調された放送信号を分離するＴＳデコーダ１３と、ＴＳデコーダ１３により分離された放送信号を復号するビデオデコーダ１４及びオーディオデコーダ１５と、ビデオデコーダ１４により復号された映像信号に対して所定の処理を行う映像処理部１６と、オーディオデコーダ１５により復号された音声信号に対して所定の処理を行う音声処理部１７と、映像処理部１６により処理された映像信号にＯＳＤデータを付加するＯＳＤ回路１８と、映像処理部１６により処理された映像信号を出力する表示手段としての映像出力部１９と、音声処理部１７により処理された音声信号を出力する音声出力部２０と、受像機本体２ｂ全体を統括制御する制御部２１ｂと、を備えている。
【００６６】
制御部２１ｂは、ＣＰＵ（Central Processing Unit）２１１ｂ、ＲＡＭ（Random Access Memory）２１２ｂ、記憶手段としてのリモコンコード記憶部２１３ｂ、ＲＯＭ（Read Only Memory）２１４ｂ等を備えて構成されている。
【００６７】
ＣＰＵ２１１ｂは、受像機本体２ｂ及びリモコン１ｂの各部から入力された入力信号に応じて、ＲＯＭ２１４ｂに格納された各種プログラムを実行するとともに、実行にかかるプログラムに基づく出力信号を各部に出力することにより、テレビジョン受像機１００ｂの動作全般を統括制御する。
【００６８】
ＲＡＭ２１２ｂは、ＣＰＵ２１１ｂによって各種プログラムが実行される際に生じる処理結果や、入力されたデータ等を一時的に記憶する。
【００６９】
リモコンコード記憶部２１３ｂは、例えば、ＥＰＲＯＭ（Erasable Programmable ROM）等の不揮発性メモリから構成され、当該受像機本体２ｂのメーカーのリモコン１ｂから送信されるリモコン信号に含まれるカスタムコードと、リモコン信号に含まれる各データコード及び当該データコードのそれぞれに割り当てられた動作内容との対応関係と、当該受像機本体２ｂに対応したリモコン１ｂに固有に割り当てられ、リモコン１ｂを識別するための確認コード６３と、等を記憶している。
【００７０】
ＲＯＭ２１４ｂは、受信プログラム２１４６と、判断プログラム２１４７と、表示制御プログラム２１４８と、等を備えて構成されている。
【００７１】
受信プログラム２１４６は、例えば、ＣＰＵ２１１ｂに、リモコン１ｂから送信された識別信号としての確認コード６３を含んで成るリモコン信号を受信する機能を実現するためのプログラムである。
具体的には、ＣＰＵ２１１ｂは、リモコン１ｂから送信された確認コード６３を含むリモコン信号をリモコン信号受光部９により受信すると、所定の処理を行って、受像機本体２ｂの制御部２１ｂに対して出力する。
ＣＰＵ２１１ｂは、かかる受信プログラム２１４６を実行することにより、受信手段として機能する。
【００７２】
判断プログラム２１４７は、例えば、ＣＰＵ２１１ｂに、受信プログラム２１４６により受信された識別信号としての確認コード６３に基づいて、リモコン１ｂが受像機本体２ｂに対応しているか否かを、記憶手段としてのリモコンコード記憶部２１３ｂを参照することによって判断する機能を実現するためのプログラムである。
具体的には、ＣＰＵ２１１ｂは、リモコン１ｂのキーパッド５ｂに備わる一のキーの操作によりリモコン１ｂから送信されたリモコン信号がリモコン信号受光部９において受信され、当該リモコン信号に所定の処理が行われることにより生成された信号が制御部２１ｂに対して出力されると、当該リモコン信号に含まれる確認コード６３を読み出して、当該確認コード６３を含むリモコン信号を送信したリモコン１ｂが受像機本体２ｂに対応しているか否かの判断を、リモコン信号から読み出した確認コード６３と、リモコンコード記憶部２１３ｂに記憶された確認コード２１３３との比較に基づいて行う。ＣＰＵ２１１ｂは、リモコンコード記憶部２１３ｂに記憶された確認コード２１３３と、リモコン信号に含まれた確認コード６３を比較して、両者が一致するか否かを判断し、一致する場合には、確認コード６３を送信したリモコン１ｂが受像機本体２ｂに対応していると判断する。一方、リモコンコード記憶部２１３ｂに記憶された確認コード２１３３と、リモコン信号に含まれた確認コード６３とが一致しない場合には、当該確認コード６３を含むリモコン信号を送信したリモコン１ｂが受像機本体２ｂに対応していないと判断する。この判断結果は、ＲＡＭ２１２ｂに出力されて一時的に格納されることとなる。
ＣＰＵ２１１ｂは、リモコンコード記憶部２１３ｂに記憶された確認コード２１３３と、リモコン信号に含まれた確認コード６３とが一致する場合には、リモコンコード記憶部２１３ｂを参照して、リモコン信号のデータコードに割り当てられた動作内容を実行し、一致しない場合には、後述の表示制御プログラム２１４８を実行することとなる。
ＣＰＵ２１１ｂは、かかる判断プログラム２１４７を実行することにより、判断手段として機能する。
【００７３】
表示制御プログラム２１４８は、例えば、ＣＰＵ２１１ｂに、判断プログラム２１４７の実行による判断結果に基づいて、リモコン１ｂが当該テレビジョン受像機１００ｂに非対応である場合に、リモコン１ｂが当該受像機本体２ｂに非対応である旨を示す所定の非対応情報を表示画面１９１に表示させる機能を実現するためのプログラムである。
具体的には、ＣＰＵ２１１ｂは、前述した判断プログラム２１４７の実行により、当該確認コード６３を含むリモコン信号を送信したリモコン１ｂが当該受像機本体２ｂに対応しているか否かの判断が行われて、判断結果がＲＡＭ２１２ｂに格納されると、当該ＲＡＭ２１２ｂに格納された判断結果に基づいて、リモコン１ｂが受像機本体２ｂに非対応である場合には、「使用中のリモコンは、この機器に対応していません。」等の非対応情報の表示を表示画面１９１に行う。当該非対応情報の表示は、例えば、ＲＯＭ２１４ｂに格納された図示しないＯＳＤデータを、ＯＳＤ回路１８等により映像信号に付加することにより行われる。
ＣＰＵ２１１ｂは、かかる表示制御プログラム２１４８を実行することにより、表示制御手段として機能する。
【００７４】
次に、図１５を参照しながら、受像機本体２ｂのＣＰＵ２１１ｂにより行われる遠隔制御処理について説明する。
なお、この処理は、リモコン１ｂが確認コード６３を含んで成るリモコン信号を送信し、受像機本体２ｂのＣＰＵ２１１ｂが受信プログラム２１４６を実行することにより当該リモコン信号を受信し、さらに、このリモコン信号に含まれる確認コード６３に基づいて、ＣＰＵ２１１ｂが判断プログラム２１４７、表示制御プログラム２１４８を実行することにより行われる。
【００７５】
ステップＳ２１において、リモコン１ｂの制御部４ｂは、キーパッド５ｂに備わるキーの押下操作がなされたか否かを判断する。制御部４ｂは、ステップＳ２１において、キー（例えば、音声モード切替キー５４等）の押下操作が有ると判断すると（ステップＳ２１；Ｙｅｓ）、当該リモコン１ｂ固有の確認コード６３と、押下されたキーに応じたデータコード（例えば、音声モード切替コード等）と、を含んで成るリモコン信号を生成して、赤外線ＬＥＤ８等により送信する（ステップＳ２２）。
【００７６】
ステップＳ２３において、受像機本体２ｂのＣＰＵ２１１ｂは、リモコン１ｂから送信された確認コード６３を含んで成るリモコン信号をリモコン信号受光部９等により受信すると、当該リモコン信号に含まれる確認コード６３を読み出して、リモコン信号から読み出した確認コード６３と、リモコンコード記憶部２１３ｂに格納されている確認コード２１３３の比較を行う（ステップＳ２４）。
ＣＰＵ２１１ｂは、ステップＳ２５において、リモコン信号に含まれる確認コード６３と、リモコンコード記憶部２１３ｂに格納された確認コード２１３３が一致するか否かを判断する。ＣＰＵ２１１ｂは、ステップＳ２５において、リモコン信号に含まれる確認コード６３と、リモコンコード記憶部２１３ｂに格納された確認コード２１３３が一致すると判断すると（ステップＳ２５；Ｙｅｓ）、ステップＳ２６において、リモコン１ｂが受像機本体２ｂに対応している旨を示す判断結果を一時的にＲＡＭ２１２ｂに格納する。さらに、ＣＰＵ２１１ｂは、ＲＡＭ２１２ｂに格納された判断結果に基づいて、リモコン信号に含まれる確認コード６３と、リモコンコード記憶部２１３ｂに格納された確認コード２１３３が一致している場合には、リモコンコード記憶部２１３ｂを参照して、リモコン信号に含まれるデータコードに応じた処理（例えば、音声モードの切替処理等）を実行する（ステップＳ２７）。
一方、ＣＰＵ２１１ｂは、ステップＳ２５において、リモコン信号に含まれる確認コード６３と、リモコンコード記憶部２１３ｂに格納された確認コード２１３３が一致しないと判断すると（ステップＳ２５；Ｎｏ）、ステップＳ２８において、リモコン１ｂが受像機本体２ｂに非対応である旨を示す判断結果を一時的にＲＡＭ２１２ｂに格納する。さらに、ＣＰＵ２１１ｂは、ＲＡＭ２１２ｂに格納された判断結果に基づいて、表示画面１９１において、リモコン１ｂが受像機本体２ｂに対応していない旨の非対応情報を表示させ（ステップＳ２９）、本処理を終了する。
【００７７】
以上説明した本実施形態３におけるテレビジョン受像機１００ｂによれば、リモコン１ｂにおいて、複数キーのうちの、一のキーの操作により、当該リモコン１ｂを識別する識別信号としての確認コード６３を含んで成り、当該操作された一のキーに対応するリモコン信号が受像機本体２ｂに送信される。また、受像機本体２ｂにおいて、リモコンコード記憶部２１３ｂに、当該受像機本体２ｂに対応するリモコン１ａの確認コード６３に関する情報２１３３が記憶されており、ＣＰＵ２１１ｂによる受信プログラム２１４６の実行により、リモコン１ｂから送信された確認コード６３を含むリモコン信号が受信される。また、ＣＰＵ２１１ｂによる判断プログラム２１４７の実行により、受信プログラム２１４６の実行により受信された確認コード６３に基づいて、リモコン１ｂが当該受像機本体２ｂに対応しているか否かが、リモコンコード記憶部２１３を参照することによって判断され、ＣＰＵ２１１ｂによる表示制御プログラム２１４８の実行により、判断プログラム２１４７による判断結果に基づいて、リモコン１ｂが当該受像機本体２ｂに非対応である場合に、リモコン１ｂが当該受像機本体２ｂに非対応である旨を示す情報が表示画面１９１に表示される。従って、キーの操作により、リモコン１ｂが受像機本体２ｂに非対応である場合には、その旨を示す非対応情報が表示画面１９１に表示されることとなって、目的とする受像機本体２ｂに対応するリモコン１ｂであるか否かを、ユーザが容易且つ確実に認識可能なテレビジョン受像機１００ｂを提供することができる。
【００７８】
なお、本発明は、上記実施の形態に限られることなく、本発明の趣旨を逸脱しない範囲において、種々の改良並びに設計の変更を行っても良い。
例えば、確認キー５９、５９ａは、専用のキーとして設けなくても良く、例えば、ある条件を満たした場合に確認キーとして機能する構成であっても良い。具体的には、例えば、特定の複数のキーが同時に押下された場合に、確認キーとして機能する構成であっても良いし、また、予め設定された所定の順番で複数のキーが押下された場合に、確認キーとして機能する構成であっても良い。この構成によれば、既存のリモコンを用いて本発明を構成することが可能となる。
また、例えば、実施形態１における判断プログラム及び実施形態３における判断プログラムの実行において、リモコン信号を構成するカスタムコードに基づいてリモコンの機種を識別する構成としても良い。
また、例えば、実施形態１及び実施形態３における対応情報／非対応情報の表示方法や、実施形態２におけるリモコン情報の表示方法は、上記実施の形態に例示したものに限られない。（また、実施形態１及び実施形態３における対応情報／非対応情報を、例えば、音声により報知する構成等であっても良い。）
【図面の簡単な説明】
【００７９】
【図１】実施形態１におけるテレビジョン受像機の要部構成を示すブロック図である。
【図２】実施形態１におけるリモートコントロール装置の平面図である。
【図３】実施形態１におけるリモコン信号及び確認信号のデータ構造を例示する図である。
【図４】実施形態１における表示制御プログラムの実行に際して行われる表示画面の表示例を示した図である。
【図５】実施形態１において、リモコンのＣＰＵ及び受像機本体のＣＰＵにより行われる対応／非対応判断処理を示すフローチャートである。
【図６】実施形態２におけるテレビジョン受像機の要部構成を示すブロック図である。
【図７】実施形態２におけるリモートコントロール装置の平面図である。
【図８】実施形態２におけるリモコン信号及び確認信号のデータ構造を例示する図である。
【図９】実施形態２における表示制御プログラムの実行に際して行われる表示画面の表示例を示した図である。
【図１０】実施形態３において、リモコンのＣＰＵ及び受像機本体のＣＰＵにより行われるリモコン情報表示処理を示すフローチャートである。
【図１１】実施形態３におけるテレビジョン受像機の要部構成を示すブロック図である。
【図１２】実施形態３におけるリモートコントロール装置の平面図である。
【図１３】実施形態３におけるリモコン信号のデータ構造を例示する図である。
【図１４】実施形態３における表示制御プログラムの実行に際して行われる表示画面の表示例を示した図である。
【図１５】実施形態３において、リモコンのＣＰＵ及び受像機本体のＣＰＵにより行われる遠隔制御処理を示すフローチャートである。
【符号の説明】
【００８０】
１００、１００ａ、１００ｂ    テレビジョン受像機（電子機器）
１、１ａ、１ｂ                リモートコントロール装置
２、２ａ、２ｂ                受像機本体（電子機器本体）
４、４ａ、４ｂ                制御部（送信手段）
５９、５９ａ                  確認キー
６３                          確認コード（識別信号）
１９                          映像出力部（表示手段）
２１１、２１１ａ、２１１ｂ    ＣＰＵ（受信手段、判断手段、表示制御手段）
２１３、２１３ａ、２１３ｂ    リモコンコード記憶部（記憶手段）
２１４１、２１４４、２１４６  受信プログラム（受信手段）
２１４２、２１４７            判断プログラム（判断手段）
２１４３、２１４５、２１４８  表示制御プログラム（表示制御手段）
【図１】
2007288334.tif 000003
【図２】
2007288334.tif 000004
【図３】
2007288334.tif 000005
【図４】
2007288334.tif 000006
【図５】
2007288334.tif 000007
【図６】
2007288334.tif 000008
【図７】
2007288334.tif 000009
【図８】
2007288334.tif 000010
【図９】
2007288334.tif 000011
【図１０】
2007288334.tif 000012
【図１１】
2007288334.tif 000013
【図１２】
2007288334.tif 000014
【図１３】
2007288334.tif 000015
【図１４】
2007288334.tif 000016
【図１５】
2007288334.tif 000017